【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
有機ペルオキシド配合物であって、
少なくとも１種の有機ペルオキシドと、
少なくとも１種の硫黄含有化合物と
を含み、
前記配合物が、いかなるビス−、トリ−もしくはより高級のポリ−マレイミドまたはビス−、トリ−もしくはより高級のポリ−シトラコンイミドも含まず、
前記少なくとも１種の有機ペルオキシドおよび前記少なくとも１種の硫黄含有化合物の量が、前記配合物が酸素の全体的または部分的な存在下でエラストマー組成物を硬化させることが可能であるように選択される、有機ペルオキシド配合物。
【請求項２】
前記少なくとも１種の硫黄含有化合物が、ポリ（ｔ−アミルフェノールジスルフィド）；ポリ（ｔ−ブチルフェノールジスルフィド）；４，４−ジチオジモルホリン；ベンゾチアジルジスルフィド；Ｎ，Ｎ’−カプロラクタムジスルフィド；およびそれらの組合せからなる群から選択される、請求項１に記載の有機ペルオキシド配合物。
【請求項３】
エラストマー組成物であって、
少なくとも１種のエラストマーと、
請求項１又は２に記載の有機ペルオキシド配合物と
を含み、
前記エラストマー組成物が、酸素の全体的または部分的な存在下で硬化可能である、前記エラストマー組成物。
【請求項４】
エラストマー性物品であって、完全または実質的にタックフリーである、請求項３に記載の硬化されたエラストマー組成物を含む、前記エラストマー性物品。
【請求項５】
請求項３に記載のエラストマー組成物を硬化させるためのプロセスであって、
酸素の存在下で前記エラストマー組成物を硬化させる工程
を含む、前記プロセス。
【請求項６】
有機ペルオキシド配合物であって、
少なくとも１種の有機ペルオキシドと、
少なくとも１種のオルガノホスファイト化合物と
を含み、
前記少なくとも１種の有機ペルオキシドおよび前記少なくとも１種のオルガノホスファイト化合物の量が、前記配合物が酸素の全体的または部分的な存在下でエラストマー組成物を硬化させることが可能であるように選択される、有機ペルオキシド配合物。
【請求項７】
前記少なくとも１種のオルガノホスファイト化合物が、トリス（２，４−ジ−ｔｅｒｔ−ブチルフェニル）ホスファイト、トリフェニルホスファイト、フェニルジデシルホスファイト、ジ−フェニルイソデシルホスファイト、トリス−ノニルフェニルホスファイト、および４，４’−イソプロピリデンジフェノールアルキル（Ｃ１２〜Ｃ１５）ホスファイト、およびそれらの組合せからなる群から選択される、請求項６に記載の有機ペルオキシド配合物。
【請求項８】
エラストマー組成物であって、
少なくとも１種のエラストマーと、
請求項６又は７に記載の有機ペルオキシド配合物と
を含み、
前記エラストマー組成物が、酸素の全体的または部分的な存在下で硬化可能である、前記エラストマー組成物。
【請求項９】
エラストマー性物品であって、完全または実質的にタックフリーである、請求項８に記載の硬化されたエラストマー組成物を含む、前記エラストマー性物品。
【請求項１０】
請求項８に記載のエラストマー組成物を硬化させるためのプロセスであって、
酸素の存在下で前記エラストマー組成物を硬化させる工程
を含む、前記プロセス。
【請求項１１】
有機ペルオキシド配合物であって、
少なくとも１種の有機ペルオキシドと、
少なくとも１種のＨＡＬＳ化合物と
を含み、
前記少なくとも１種の有機ペルオキシドおよび前記少なくとも１種のＨＡＬＳ化合物の量が、前記配合物が酸素の全体的または部分的な存在下でエラストマー組成物を硬化させることが可能であるように選択される、有機ペルオキシド配合物。
【請求項１２】
前記少なくとも１種のＨＡＬＳ化合物が、ポリ［［６−［（１，１，３，３−テトラメチルブチル）アミノ］−ｓ−トリアジン−２，４−ジイル］−［（２，２，６，６−テトラメチル−４−ピペリジル）イミノ］−ヘキサメチレン−［（２，２，６，６−テトラメチル−４−ピペリジル）イミノ］］、［ビス（２，２，６，６−テトラメチル−４−ピペリジニル）セバケート］、およびそれらの組合せからなる群から選択される、請求項１１に記載の有機ペルオキシド配合物。
【請求項１３】
エラストマー組成物であって、
少なくとも１種のエラストマーと、
請求項１１又は１２に記載の有機ペルオキシド配合物と
を含み、
前記エラストマー組成物が、酸素の全体的または部分的な存在下で硬化可能である、前記エラストマー組成物。
【請求項１４】
エラストマー性物品であって、完全または実質的にタックフリーである、請求項１３に記載の硬化されたエラストマー組成物を含む、前記エラストマー性物品。
【請求項１５】
請求項１３に記載のエラストマー組成物を硬化させるためのプロセスであって、
酸素の存在下で前記エラストマー組成物を硬化させる工程
を含む、前記プロセス。
【請求項１６】
有機ペルオキシド配合物であって、
少なくとも１種の有機ペルオキシドと、
少なくとも１種の脂肪族アリルウレタン化合物と
を含み、
前記少なくとも１種の有機ペルオキシドおよび前記少なくとも１種の脂肪族アリルウレタン化合物の量が、前記配合物が酸素の全体的または部分的な存在下でエラストマー組成物を硬化させることが可能であるように選択される、有機ペルオキシド配合物。
【請求項１７】
エラストマー組成物であって、
少なくとも１種のエラストマーと、
請求項１６に記載の有機ペルオキシド配合物と
を含み、
前記エラストマー組成物が、酸素の全体的または部分的な存在下で硬化可能である、前記エラストマー組成物。
【請求項１８】
エラストマー性物品であって、完全または実質的にタックフリーである、請求項１７に記載の硬化されたエラストマー組成物を含む、前記エラストマー性物品。
【請求項１９】
請求項１７に記載のエラストマー組成物を硬化させるためのプロセスであって、
酸素の存在下で前記エラストマー組成物を硬化させる工程
を含む、前記プロセス。
【請求項２０】
少なくとも１種のニトロキシド含有化合物と、
少なくとも１種のキノン含有化合物と
をさらに含み、
前記少なくとも１種の有機ペルオキシド、前記少なくとも１種の硫黄含有化合物、前記少なくとも１種のニトロキシド含有化合物、および前記少なくとも１種のキノン含有化合物の量が、前記配合物が酸素の全体的または部分的な存在下でエラストマー組成物を硬化させることが可能であるように選択される、請求項１又は２に記載の有機ペルオキシド配合物。
【請求項２１】
前記少なくとも１種の硫黄含有化合物が、ポリ（ｔ−アミルフェノールジスルフィド）；ポリ（ｔ−ブチルフェノールジスルフィド）；４，４−ジチオジモルホリン；ベンゾチアジルジスルフィド；Ｎ，Ｎ’−カプロラクタムジスルフィド；およびそれらの組合せからなる群から選択される、請求項２０に記載の有機ペルオキシド配合物。
【請求項２２】
エラストマー組成物であって、
少なくとも１種のエラストマーと、
請求項２０に記載の有機ペルオキシド配合物と
を含む、前記エラストマー組成物。
【請求項２３】
エラストマー性物品であって、完全または実質的にタックフリーである、請求項２２に記載の硬化されたエラストマー組成物を含む、前記エラストマー性物品。
【請求項２４】
請求項２２に記載のエラストマー組成物を硬化させるためのプロセスであって、
酸素の存在下で前記エラストマー組成物を硬化させる工程
を含む、前記プロセス。
【請求項２５】
任意選択的に、少なくとも１種のニトロキシド含有化合物と、
任意選択的に、少なくとも１種のキノン含有化合物と、
オルガノホスファイト化合物、ＨＡＬＳ化合物、脂肪族アリルウレタン化合物、乾性油、セルロース化合物、およびそれらの組合せからなる群から選択される１種または複数の追加の化合物と
をさらに含み、
前記成分の量が、前記配合物が酸素の全体的または部分的な存在下でエラストマー組成物を硬化させることが可能であるように選択される、請求項１又は２に記載の有機ペルオキシド配合物。
【請求項２６】
エラストマー組成物であって、
少なくとも１種のエラストマーと、
請求項２５に記載の有機ペルオキシド配合物
とを含む、前記エラストマー組成物。
【請求項２７】
エラストマー性物品であって、完全または実質的にタックフリーである、請求項２６に記載の硬化されたエラストマー組成物を含む、前記エラストマー性物品。
【請求項２８】
請求項２６に記載のエラストマー組成物を硬化させるためのプロセスであって、
酸素の存在下で前記エラストマー組成物を硬化させる工程
を含む、前記プロセス。
【請求項２９】
アリルメタクリレートオリゴマー、トリアリルシアヌレート、トリアリルイソシアヌレート、トリメチロイルプロパントリメタクリレート、トリメチロイルプロパントリアクリレート、亜鉛ジアクリレート、および亜鉛ジメタクリレートからなる群から選択される少なくとも１種の架橋助剤
をさらに含み、
前記少なくとも１種の有機ペルオキシドおよび前記少なくとも１種の硫黄含有化合物の量が、前記配合物が酸素の全体的または部分的な存在下でエラストマー組成物を硬化させることが可能であるように選択される、請求項１又は２に記載の有機ペルオキシド配合物。
【請求項３０】
１，１−ジ（ｔ−ブチルペルオキシ）−３，３，５−トリメチルシクロヘキサン、ｔ−ブチルペルオキシベンゾエート、ｔ−ブチル−２−エチルヘキシルモノペルオキシカーボネート、２，５−ジメチル−２，５−ジ（ｔ−ブチルペルオキシ）ヘキサン、ジクミルペルオキシド、ｍ／ｐ−ジ（ｔ−ブチルペルオキシ）ジイソプロピルベンゼン、およびｔ−ブチルクミルペルオキシドからなる群から選択される少なくとも１種のペルオキシドと、
ポリ（ｔ−アミルフェノールジスルフィド）およびＭＢＴＳ（メルカプトベンゾチアゾールジスルフィド）からなる群から選択される少なくとも１種の硫黄含有化合物と
を含む、請求項１又は２に記載の有機ペルオキシド配合物。
【請求項３１】
１，１−ジ（ｔ−ブチルペルオキシ）−３，３，５−トリメチルシクロヘキサン、ｔ−ブチルペルオキシベンゾエート、ｔ−ブチル−２−エチルヘキシルモノペルオキシカーボネート、２，５−ジメチル−２，５−ジ（ｔ−ブチルペルオキシ）ヘキサン、ジクミルペルオキシド、ｍ／ｐ−ジ（ｔ−ブチルペルオキシ）ジイソプロピルベンゼン、およびｔ−ブチルクミルペルオキシドからなる群から選択される少なくとも１種のペルオキシドと、
ポリ（ｔ−アミルフェノールジスルフィド）およびＭＢＴＳ（メルカプトベンゾチアゾールジスルフィド）からなる群から選択される少なくとも１種の硫黄含有化合物と、
アリルメタクリレートオリゴマー、トリアリルシアヌレート、トリアリルイソシアヌレート、トリメチロイルプロパントリメタクリレート、トリメチロイルプロパントリアクリレート、亜鉛ジアクリレート、および亜鉛ジメタクリレートからなる群から選択される少なくとも１種の架橋助剤と、
任意選択的に、ニトロキシド含有化合物およびヒドロキノン含有化合物と
を含む、請求項１又は２に記載の有機ペルオキシド配合物。